(57)【要約】【課題】既存の制御およびデータ処理の改造を抑え、かつ、既設のシステムにおいて現状処理を殆ど変えずに、デジタル放送に対応できるシステムを提供する。【解決手段】データ処理部１２は、ハイビジョン番組又はスタンダード番組送出を行うための制御データを格納する制御データ格納手段と、この制御データ格納手段から独立して送出帯域の切り替え制御を行うための制御データ格納手段と、格納されたハイビジョン番組放送用の制御データ、スタンダード番組放送用の制御データ及び帯域切り替え用制御データの妥当性チェックを行うチェック手段を備える。帯域制御は、帯域ファイルだけの情報により制御が行われ、また、帯域ファイルで全列の送出状態を指定しているため、各制御ファイルの変更が行われた場合には、変更が行われた制御ファイルと帯域ファイルの２ファイル間でのチェックだけ行えばよい。【選択図】　　　図８
2004072209.tif 000002
【特許請求の範囲】
【請求項１】
制御時刻及び制御内容を含む制御データが格納される制御データ記憶部と、入力されたデータの妥当性をチェックして当該データを制御データとして前記制御データ記憶部に格納するデータ処理部と、現在時刻とを照合して当該制御データで指定された時刻に指定された制御を行う制御部とを有し、
前記制御データ記憶部は、ハイビジョン番組送出を行うための制御データを記憶する第１の記憶部と、スタンダード番組送出を行うための制御データを記憶する第２の記憶部と、送出帯域の切り替え制御を行うための制御データを記憶する第３の記憶部とを有し、
前記データ処理部は、ハイビジョン番組送出を行うための制御データを前記第１の記憶部に格納する第１の格納手段と、スタンダード番組送出を行うための制御データを前記第２の記憶部に格納する第２の格納手段と、送出帯域の切り替え制御を行うための制御データを前記第３の記憶部に格納する第３の格納手段と、当該格納された制御データと帯域切り替え用の制御データの妥当性をチェックするチェック手段とを有することを特徴とする自動番組制御方式。
【請求項２】
前記第３の記憶部及び前記第３の格納手段は、前記他の記憶部及び前記他の格納手段から独立して設けることを特徴とする請求項１又は２に記載の自動番組制御方式。
【請求項３】
前記第２の記憶部及び前記第２の格納手段は複数有することを特徴とする請求項１記載の自動番組制御方式。
【発明の詳細な説明】
【０００１】
【発明の属する技術分野】
本発明は自動番組制御方式に関し、特にテレビ自動番組制御方式においてデジタル放送設備である帯域のセットレート制御する多重化システムに対し、制御に用いるデータの管理方式に関する。
【０００２】
【従来の技術】
テレビ放送局向けの自動番組制御装置（ＡＰＳ）は、図６に示すように、送出系統１，２（ローカルエリア、ネット送出、等）に対応した専用ファイル６２，６３に制御データを格納し、その各ファイル６２，６３に入力した制御データによって対応する送出系統６５，６６の制御を行っている。なお、送出素材を蓄積している被制御機器６４は、全ての送出系統において共有に使用されるものであるため、各ファイル６２，６３からの制御データに従って制御される。
【０００３】
このようなＡＰＳをデジタル放送対応の送出システムにするため、以下のような構成及び動作としている。
【０００４】
つまり、デジタル放送では図７に示すように、従来のスタンダード放送に加えて、ハイビジョン放送を可能とするための送出系統７Ａと、送出する帯域の中で複数の番組・情報を同時に送出することを可能とするため、その帯域の中のセットレートを制御する多重化システム（ＭＵＸ）７Ｃと、その多重化システム７Ｃや送出エンコーダーなどの制御を行う統合システム（ＭＣＳ）７Ｂとが追加される。
【０００５】
ＡＰＳは、ハイビジョン放送の送出を行う送出系統７Ａの追加に伴い、この送出系統７Ａに対応した制御ファイル７５が追加され、従来同様の制御が行われる。
【０００６】
また、統合システム７Ｂに対する制御は、被制御機器７６と同様に各送出系統で共有されるため、各制御ファイル７２〜７５からの各制御データにより行われる。
【０００７】
【発明が解決しようとする課題】
しかしながら、従来のＡＰＳでは、デジタル放送に対応させるためには、統合システムへの制御情報として３０バイト程度必要になる。ＡＰＳのようにリアルタイム制御を行うシステムでは、処理を高速化するためにデータをメモリに展開している。しかし、メモリ容量は制限が設けられることが多いため、データ容量の増加は極力抑える必要がある。しかし、ＡＰＳ制御データに指定欄を設けて１レコード当たり３０バイト増やすことになるが、例えば１日のデータ件数を１８，０００データとし、３日分持たせると、データ容量が１．６Ｍバイトも増加するため、メモリ容量を圧迫するという問題があった。
【０００８】
また、デジタル放送の場合、１チャンネル放送の帯域で、ハイビジョン放送１送出とスタンダード放送３送出を送出する番組のビットレートを切り替えて送出することが可能である。しかし、帯域制限があるため同時に全てを送出することはできないため、ビットレートを考慮した送出系統ファイル間での送出番組の重複チェックが必要となり、１つの送出系統変更により４つの送出系統の重複チェックを行わなければならなくなる。つまり、データ変更時に他の送出系統ファイルとの関係をチェックする必要があるため、このチェック処理が複雑になるという問題があった。
【０００９】
更に、現行のテレビ放送局において、デジタル放送を行うためのシステム構築を行う場合、放送設備の更新を行う場合と現状システムにデジタル放送で必要となる設備を増設する場合があり、後者の場合、現状の送出系統ファイルの制御処理およびデータ入力処理に多くの改造が必要になるという問題があった。
【００１０】
そこで、本発明は係る問題に鑑み、デジタル放送対応の制御を現行処理と独立させ、既存の制御およびデータ処理の改造を抑えることができるシステムを提供し、更に、既設のシステムにおいて現状処理を殆ど変えずに、デジタル放送に必要となる新規部分のみを追加で対応できるシステムを提供することを目的とする。
【００１１】
【課題を解決するための手段】
係る目的を達成するため、本発明にかかる自動番組制御方式は、制御時刻及び制御内容を含む制御データが格納される制御データ記憶部と、入力されたデータの妥当性をチェックして当該データを制御データとして前記制御データ記憶部に格納するデータ処理部と、現在時刻とを照合して当該制御データで指定された時刻に指定された制御を行う制御部とを有し、前記制御データ記憶部は、ハイビジョン番組送出を行うための制御データを記憶する第１の記憶部と、スタンダード番組送出を行うための制御データを記憶する第２の記憶部と、送出帯域の切り替え制御を行うための制御データを記憶する第３の記憶部とを有し、前記データ処理部は、ハイビジョン番組送出を行うための制御データを前記第１の記憶部に格納する第１の格納手段と、スタンダード番組送出を行うための制御データを前記第２の記憶部に格納する第２の格納手段と、送出帯域の切り替え制御を行うための制御データを前記第３の記憶部に格納する第３の格納手段と、当該格納された制御データと帯域切り替え用の制御データの妥当性をチェックするチェック手段とを有することとする。
【００１２】
この場合、前記第３の記憶部及び前記第３の格納手段は、前記他の記憶部及び前記他の格納手段から独立して設けることとする。
【００１３】
なお、前記第２の記憶部及び前記第２の格納手段は複数有することが望ましい。
【００１４】
【発明の実施の形態】
次に、図面を参照して本発明の実施の形態を説明する。
【００１５】
図１は本発明に係る自動番組制御装置（ＡＰＳ）の要部の構成を示している。ＡＰＳは、制御データにより指定された時刻と現在時刻とを照合して各種制御を行う制御部１１と、各種制御データが格納される制御データ記憶部１３を含み、入力されたデータの妥当性をチェックして制御データとして制御データ記憶部１３に格納するデータ処理部１２とから構成されている。
【００１６】
また、データ処理部１２は、ハイビジョン番組送出を行うための制御データを格納する制御データ格納手段と、スタンダード番組送出を行うための制御データを格納する制御データ格納手段と、送出帯域の切り替え制御を行うための制御データ格納手段と、格納されたハイビジョン番組放送用の制御データ、スタンダード番組放送用の制御データ及び帯域切り替え用制御データの妥当性チェックを行うチェック手段を備えている。
【００１７】
これらの手段はそれぞれ概略つぎのように動作する。
【００１８】
ハイビジョン番組送出を行うための制御データ格納手段は、ハイビジョン番組を送出する時刻および送出素材などの制御情報を、該当するハイビジョン制御ファイル（ＨＤファイル）に格納する。
【００１９】
スタンダード番組送出を行うための制御データ格納手段は、スタンダード番組を送出する時刻および送出素材などの制御情報を、該当するスタンダード制御ファイル（ＳＤファイル）に格納する。このＳＤファイルは、デジタル放送の場合、スタンダード番組は同一時間帯に最大３番組まで送出可能であることから、格納ファイルを３つ備えている。
【００２０】
送出帯域の切り替え制御を行うための制御データ格納手段は、ハイビジョン番組やスタンダード番組のセットレートが設定された制御データを帯域制御ファイルに格納する。
【００２１】
スタンダード番組放送用の制御データ及び帯域切り替え用制御データの妥当性チェックを行うチェック手段は、帯域制御ファイルに指定された送出形態（ハイビジョン番組、スタンダード番組の送出有無指定および各番組のビットレート指定）に従って、各制御ファイルの指定時刻範囲に制御データの指定があるかのチェックを行い、放送できない時間帯に指定された制御データは制御対象外となるようにエラー情報を付加してして格納する。
【００２２】
次に、図２〜図４のフローチャートを参照して本発明に係るＡＰＳの動作について詳細に説明する。
【００２３】
データが入力されると、このデータの妥当性をチェックするため、チェック手段が起動され、図２に示す処理が行われる。
【００２４】
まず、入力されたデータが帯域ファイル又はＨＤファイルであるか否かを判断する（ステップ２２）。帯域ファイル又はＨＤファイルであった場合は、このファイル間のデータの関連をチェックする（ステップ２３）。
【００２５】
次に、入力されたデータが帯域ファイル又はＳＤ１ファイルであるか否かを判断する（ステップ２４）。帯域ファイル又はＳＤ１ファイルであった場合は、このファイル間のデータの関連をチェックする。（ステップ２５）。
【００２６】
以後同様に、入力されたデータが、帯域ファイル又はＳＤ２、ＳＤ３ファイルであるか否かを判断し（ステップ２７，２９）、帯域ファイル又はＳＤ２、ＳＤ３ファイルであった場合は、のファイル間のデータの関連をチェックする。（ステップ２８，３０）。
【００２７】
つまり、帯域ファイルの入力であれば、ＨＤ、ＳＤ１〜ＳＤ３の全ファイルのチェックを行う。
【００２８】
そして、各々ファイルのチェック結果にエラーがあったか否かを判断し（ステップ２Ａ）、エラーがあった場合にはエラーメッセージを表示する（ステップ２Ｂ）。
【００２９】
この帯域ファイルと各ファイルとのチェックは、図３に示す処理により行われる。
【００３０】
まず、帯域ファイルで指定されている各送出列（ＨＤ列、ＳＤ１列〜ＳＤ３列）の送出時間帯に、該当制御ファイルのデータ制御時刻が含まれるかどうかをチェックする（ステップ３２，３３）。送出時間帯からはみ出した時刻に制御データが指定されている場合、そのデータにエラー情報を付加して制御対象外として扱う（ステップ３４、３５）
このような処理動作を行うＡＰＳでは、帯域の制御を行うための情報を、制御列データとは独立した帯域ファイルに指定するというように構成されているため、図４に示すように、制御ロジックでは各制御ファイルの情報に従って制御が行われる。また帯域制御は、帯域ファイルだけの情報により制御が行われるため、リアルタイム性が要求される番組送出制御においても、制御直前の煩わしい判断なく制御が行われる。
【００３１】
更に、帯域ファイルで全列の送出状態を指定しているため、各制御ファイルの変更が行われた場合には、変更が行われた制御ファイルと帯域ファイルの２ファイル間でのチェックだけ行えばよい。
【００３２】
次に、具体的な実施例を用いて本発明に係る自動番組制御方式の動作を説明する。
【００３３】
図５に示すように、ｔ１〜ｔ６の時間帯での放送形態が指定された場合、その後、ＨＤのＢ番組が３０分延長決定し、Ｂ番組の終了時刻がｔ３＋３０分に変更される。データ入力が行われた後、データチェック処理が起動され、図２、図３のチェック処理により、ＨＤファイルと帯域ファイルの間で送出時間帯のチェックを行う。帯域ファイルで指定された送出時間帯を超える番組Ｂの変更データはエラーデータとして登録される。
【００３４】
エラー登録されたことは、オペレータに通知しオペレータ判断により最適なデータ構成への訂正を行う。
【００３５】
また、ＡＰＳの制御は登録された各制御ファイルのデータにより、従来からの制御ロジックにより制御を行えばよい。デジタル放送用の設備として設けられる帯域制御を行う多重化システムやエンコーダー等の制御を行う統合システム（ＭＣＳ）に対しては、帯域ファイルに指定された制御データにより制御を行えばよい。
【００３６】
【発明の効果】
以上説明したように、本発明によれば、帯域制御ファイルを専用に設けて送出系統とは独立させることにより、データ格納時点ではＭＣＳ制御データと各送出制御データに分けられるため、制御する際には各ファイルに指定された制御データに従って従来のＡＰＳと同様に処理することができ、既存の制御およびデータ処理の改造を抑えることができる。
【００３７】
これは、各々のファイルは送出時刻をキーとしてお互いを関係づけることが可能であるため、データ登録後に変更があった制御ファイルのデータと帯域ファイルのデータのトータルチェックを起動することで、二重管理になることで位相ズレが生じた場合でもオペレータ警告することができるためである。
【００３８】
また、本発明によれば、既存のシステムに、ハイビジョン放送を行うための送出列制御ファイルと、帯域ファイルおよびデータトータルチェックを追加することで、デジタル放送用設備を増設することができる。つまり、追加のロジックについては、既設制御とは独立したものとして扱えるため、運用中のシステムであっても容易にデジタル放送への対応が可能となる。
【００３９】
これは、帯域ファイルを専用に持たせることによりデジタル放送で必要となる帯域制御が既設の送出制御ロジックとは独立で制御可能であること、及び、帯域ファイルと制御ファイルとの関係チェックを登録処理とは分けて独立で起動することにより、トータルチェックについても既設の登録処理とは絡めないで行えるためである。
【図面の簡単な説明】
【図１】本発明に係る自動番組制御装置の要部構成を示すブロック図である。
【図２】入力チェック動作を示す流れ図である。
【図３】入力チェックの詳細を示す流れ図である。
【図４】制御動作を示す流れ図である。
【図５】運用動作の具体例を示す図である。
【図６】従来の自動番組制御方式の全体構成を示す図である。
【図７】従来の自動番組制御方式の全体構成を示す図である。
【図８】本発明に係る自動番組制御方式の全体構成を示す図である。
【符号の説明】
１１　　制御部
１２　　データ処理部
１３　　制御データ記憶部
１４　　データ入力
１５　　制御出力
６１　　自動番組制御装置
６２、６３　　送出系統１、２に対応したファイル
６４　　被制御機器
６５、６６　　送出系統１、２
【図１】
2004072209.tif 000003
【図２】
2004072209.tif 000004
【図３】
2004072209.tif 000005
【図４】
2004072209.tif 000006
【図５】
2004072209.tif 000007
【図６】
2004072209.tif 000008
【図７】
2004072209.tif 000009
【図８】
2004072209.tif 000010